(57)【要約】【課題】  人物の確認を容易にして、窓口でのセキュリティを良好に高める。【解決手段】  パーソナルコンピュータ（ＰＣ）１００には、中央処理装置（ＣＰＵ）１とリードオンリーメモリ（ＲＯＭ）２及びランダムアクセスメモリ（ＲＡＭ）３が設けられて、データの処理がＣＰＵ１で行われる。その結果がディスプレイ４に表示されると共に、その処理に関する指示やデータの入力のためにキーボード５が設けられている。さらにＰＣ１００には、データベースとなるハードディスクドライブ（ＨＤＤ）６と、外部装置を接続するためのインターフェース７が設けられる。そしてこのインターフェース７を通じて、画像情報を入力するためのデジタルカメラ１０や、顔写真２０を取り込むための画像スキャナ１１が接続されると共に、非接触式ＩＣタグ３０に記憶された情報を取り出すためのＩＣタグリーダー１２が接続される。【選択図】        図１  
2005267223.tif 000002
【特許請求の範囲】
【請求項１】
口座番号の記載された通帳と、
第１の画像情報及びユニークキーの記録された非接触式ＩＣタグと、
少なくとも前記口座番号に関連して第２の画像情報及び属人情報の記憶されたデータベースと、
前記非接触式ＩＣタグから前記第１の画像情報を取り出すと共に、前記口座番号により前記データベースを検索して前記第２の画像情報を取り出し、これら第１及び第２の画像情報を並べて表示する表示装置と
からなるセキュリティシステム。
【請求項２】
請求項１記載のセキュリティシステムにおいて、
前記非接触式ＩＣタグは前記通帳が収納される収納手段に一体化され、前記通帳とは別体とする
ことを特徴とするセキュリティシステム。
【請求項３】
請求項１記載のセキュリティシステムにおいて、
前記第１及び第２の画像情報は、前記通帳の名義人の顔写真である
ことを特徴とするセキュリティシステム。
【請求項４】
請求項１記載のセキュリティシステムにおいて、
前記表示装置と前記データベースはパーソナルコンピュータと一体に設けられ、
前記パーソナルコンピュータに、前記非接触式ＩＣタグに記録された前記第１の画像情報及びユニークキーを読み取る手段を付属させる
ことを特徴とするセキュリティシステム。
【請求項５】
請求項４記載のセキュリティシステムにおいて、
前記読み取られた前記ユニークキーに基づいて前記データベースから対応する前記口座番号を読み出すと共に、
口座番号の入力手段を有し、
前記データベースから読み出された口座番号と前記入力手段に入力された口座番号とが一致したときに前記データベースから対応する第２の画像情報及び属人情報を取り出して前記表示装置に表示する
ことを特徴とするセキュリティシステム。
【請求項６】
請求項５記載のセキュリティシステムにおいて、
前記属人情報は、前記通帳の名義人を特定するのに供される文字情報であり、この文字情報を前記表示装置に表示する
ことを特徴とするセキュリティシステム。
【請求項７】
第１の画像情報及びユニークキーの記録された非接触式ＩＣタグと、
口座番号の入力手段と、
少なくとも前記口座番号に関連して第２の画像情報及び属人情報の記憶されたデータベースと、
画像情報の表示装置と、
勘定系への接続手段を有し、
前記非接触式ＩＣタグから取り出される前記第１の画像情報と、前記口座番号により前記データベースを検索して取り出される前記第２の画像情報を前記表示装置に並べて表示すると共に、
前記属人情報には前記勘定系の業務に関わる制限を示す情報が含まれており、
前記勘定系から前記制限に関連する情報を得て、前記制限の範囲内であるか否かの判別結果を前記表示装置に表示する
ことを特徴とするセキュリティシステム。
【請求項８】
第１の画像情報及びユニークキーの記録された非接触式ＩＣタグと、
口座番号の入力手段と、
少なくとも前記口座番号に関連して第２の画像情報及び属人情報の記憶されたデータベースと、
外部記憶媒体へ情報の読み書きを行うドライブ装置と、
画像情報の表示装置を有し、
前記入力手段に入力された口座番号に基づき、所定の安全管理の下で前記データベースの対応する領域から前記第２の画像情報及び属人情報を取り出して取り出された前記第２の画像情報及び属人情報を前記ドライブ装置により前記外部記憶媒体へ書き込み、
所定の安全管理の下で前記外部記憶媒体へ書き込まれた情報を前記ドライブ装置により読み出して読み出された前記情報を前記データベースに書き込むと共に、
前記非接触式ＩＣタグから取り出される前記第１の画像情報と、前記口座番号により前記データベースを検索して取り出される前記第２の画像情報を前記表示装置に並べて表示する
ことを特徴とするセキュリティシステム。
【請求項９】
通帳に記載された口座番号を入力する入力手段と、
非接触式ＩＣタグに記録された第１の画像情報及びユニークキーを読み取る読み取り装置と、
少なくとも前記口座番号に関連して第２の画像情報及び属人情報の記憶されたデータベースと、
前記非接触式ＩＣタグから前記第１の画像情報を取り出すと共に、前記口座番号により前記データベースを検索して前記第２の画像情報を取り出し、これら第１及び第２の画像情報を並べて表示する表示装置と
からなるセキュリティ装置。
【請求項１０】
請求項９記載のセキュリティ装置において、
前記第１及び第２の画像情報は、前記通帳の名義人の顔写真である
ことを特徴とするセキュリティ装置。
【請求項１１】
請求項９記載のセキュリティ装置において、
前記表示装置と前記データベースはパーソナルコンピュータと一体に設けられ、
前記パーソナルコンピュータに、前記非接触式ＩＣタグに記録された前記第１の画像情報及びユニークキーの読み取り手段を付属させる
ことを特徴とするセキュリティ装置。
【請求項１２】
請求項１１記載のセキュリティ装置において、
前記読み取られた前記ユニークキーに基づいて前記データベースから対応する前記口座番号を読み出すと共に、
前記データベースから読み出された口座番号と前記入力手段に入力された口座番号とが一致したときに前記データベースから対応する第２の画像情報及び属人情報を取り出して前記表示装置に表示する
ことを特徴とするセキュリティ装置。
【請求項１３】
請求項１２記載のセキュリティ装置において、
前記属人情報は、前記通帳の名義人を特定するのに供される文字情報であり、この文字情報を前記表示装置に表示する
ことを特徴とするセキュリティ装置。
【請求項１４】
第１の画像情報及びユニークキーの記録された非接触式ＩＣタグと、
口座番号の入力手段と、
少なくとも前記口座番号に関連して第２の画像情報及び属人情報の記憶されたデータベースと、
画像情報の表示装置と、
勘定系への接続手段を有し、
前記非接触式ＩＣタグから取り出される前記第１の画像情報と、前記口座番号により前記データベースを検索して取り出される前記第２の画像情報を前記表示装置に並べて表示すると共に、
前記属人情報には前記勘定系の業務に関わる制限を示す情報が含められており、
前記勘定系から前記制限に関連する情報を得て、前記制限の範囲内であるか否かの判別結果を前記表示装置に表示する
ことを特徴とするセキュリティ装置。
【請求項１５】
第１の画像情報及びユニークキーの記録された非接触式ＩＣタグと、
口座番号の入力手段と、
少なくとも前記口座番号に関連して第２の画像情報及び属人情報の記憶されたデータベースと、
外部記憶媒体へ情報の読み書きを行うドライブ装置と、
画像情報の表示装置を有し、
前記入力手段に入力された口座番号に基づき、所定の安全管理の下で前記データベースの対応する領域から前記第２の画像情報及び属人情報を取り出して取り出された前記第２の画像情報及び属人情報を前記ドライブ装置により前記外部記憶媒体へ書き込み、
所定の安全管理の下で前記外部記憶媒体へ書き込まれた情報を前記ドライブ装置により読み出して読み出された前記情報を前記データベースに書き込むと共に、
前記非接触式ＩＣタグから取り出される前記第１の画像情報と、前記口座番号により前記データベースを検索して取り出される前記第２の画像情報を前記表示装置に並べて表示する
ことを特徴とするセキュリティ装置。
【請求項１６】
通帳に記載された口座番号を入力する手段と、
非接触式ＩＣタグに記録された第１の画像情報及びユニークキーを読み取る手段と、
少なくとも前記口座番号に関連して第２の画像情報及び属人情報の記憶されたデータベースを検索する手段と、
これらの読み取り及び検索された前記第１及び第２の画像情報を並べて表示する手段と
からなるセキュリティプログラム。
【請求項１７】
請求項１６記載のセキュリティプログラムにおいて、
前記第１及び第２の画像情報は、前記通帳の名義人の顔写真である
ことを特徴とするセキュリティプログラム。
【請求項１８】
請求項１６記載のセキュリティプログラムにおいて、
前記読み取られた前記ユニークキーに基づいて前記データベースから対応する前記口座番号を読み出す手段と、
前記データベースから読み出された口座番号と前記入力された口座番号とが一致したときに前記データベースから対応する第２の画像情報及び属人情報を取り出して表示する手段と
を有することを特徴とするセキュリティプログラム。
【請求項１９】
請求項１８記載のセキュリティプログラムにおいて、
前記属人情報は、前記通帳の名義人を特定するのに供される文字情報であり、これらの文字情報を表示する手段を有する
ことを特徴とするセキュリティプログラム。
【請求項２０】
通帳に記載された口座番号を入力する手段と、
非接触式ＩＣタグに記録された第１の画像情報及びユニークキーを読み取る手段と、
少なくとも前記口座番号に関連して第２の画像情報及び属人情報の記憶されたデータベースを検索する手段と、
勘定系への接続を行う手段と、
前記非接触式ＩＣタグから取り出される前記第１の画像情報と、前記口座番号により前記データベースを検索して取り出される前記第２の画像情報を表示装置に並べて表示する手段を有すると共に、
前記属人情報には前記勘定系の業務に関わる制限を示す情報が含まれており、前記勘定系から前記制限に関連する情報を得て、前記制限の範囲内であるか否かの判別結果を表示する手段を有する
ことを特徴とするセキュリティプログラム。
【請求項２１】
通帳に記載された口座番号を入力する手段と、
非接触式ＩＣタグに記録された第１の画像情報及びユニークキーを読み取る手段と、
少なくとも前記口座番号に関連して第２の画像情報及び属人情報の記憶されたデータベースを検索する手段と、
外部記憶媒体へ情報の読み書きを行う手段と、
前記入力された口座番号に基づき、所定の安全管理の下で前記データベースの対応する領域から前記第２の画像情報及び属人情報を取り出して取り出された情報を外部記憶媒体へ書き込む手段と、
所定の安全管理の下で前記外部記憶媒体へ書き込まれた情報を読み出して読み出された前記情報を前記データベースに書き込む手段と、
前記非接触式ＩＣタグから取り出される前記第１の画像情報と、前記口座番号により前記データベースを検索して取り出される前記第２の画像情報を表示装置に並べて表示する手段と
を有することを特徴とするセキュリティプログラム。
【発明の詳細な説明】
【技術分野】
【０００１】
本発明は、例えば銀行における窓口業務に使用して好適なセキュリティシステム、装置及びプログラムに関する。詳しくは、窓口において簡単な構成で良好なセキュリティが保たれるようにしたものである。
【背景技術】
【０００２】
銀行の窓口業務におけるセキュリティとして、例えば預金通帳からの払い出しについては、従来の技術では一般的に印鑑が用いられてきた。すなわち、例えば払い出し票に捺された印鑑の印影と、通帳若しくはデータベース上に登録された印影との一致を判別して、これらが一致すれば正規の手続きとして払い出しを行うものである。しかしながらこのような印鑑のみに頼る方法は、近年のコピー技術の進歩などによって、その保安性が著しく低下しているものである。
【０００３】
このような印鑑を用いる窓口業務の代わりに、最近では銀行等の窓口業務にクレジットカードのようなカードシステムが併用されている。そしてこのようなクレジットカードにおいて、カード上に設けられるＣＤ−ＲやＩＣチップのような記録媒体に使用者の画像情報を設けることが提案されている（例えば、特許文献１参照。）。
【０００４】
また、クレジットカード番号等に関連する画像情報と、使用者本人の画像情報を並べて表示して比較させるものもある（例えば、特許文献２参照。）。
【特許文献１】特開２００１−３１２６８２号公報
【特許文献２】特開平１０−１１１９３５号公報
【発明の開示】
【発明が解決しようとする課題】
【０００５】
上述の特許文献１、２では、使用者の関する画像情報（顔写真等）を用いて保安性を高めようとするものであるが、これを銀行の窓口業務に適用しようとすると、いくつかの問題点が存在する。
【０００６】
すなわち、特許文献１を適用する場合には、銀行の窓口業務においては通帳に記録媒体を設けることになるが、ここに画像情報を持てるほどの大容量のものを設けることは困難である。また、現状の通帳には磁気テープが設けられているが、その記憶容量は僅かであり、画像情報のような大量の情報を記録することは困難である。さらに、特許文献１に記載の発明のようにＣＤ−Ｒを設けることや、いわゆるＩＣチップを設けることは、通帳の柔軟性を保つ面から容易なことではない。
【０００７】
一方、特許文献２に記載の発明のように、例えば通帳の口座番号に基づいてネットワーク上のデータベース等を検索して画像情報を取り出すことも考えられるが、そのためには、大掛かりなシステムの構築が必要であり、多大な資本の投入が要求される。また、ネットワークを用いることは、不正な侵入等を完全に防止することが困難であり、その防止策に、さらに多大な資本の投入が必要となる。
【０００８】
いずれにしても、上述の特許文献１及び２には、ＩＣチップに記憶された画像情報と、データベースに記憶された画像情報とを並べて表示することについては記載されていない。
【０００９】
この出願はこのような点に鑑みて成されたものであって、本発明の目的は、簡単なシステムで、良好なセキュリティを行うことができるセキュリティシステム、セキュリティ装置及びそのためのプログラムを提供することである。
【課題を解決するための手段】
【００１０】
上記課題を解決し、本発明の目的を達成するため、請求項１に記載された本発明のセキュリティシステムは、口座番号の記載された通帳と、第１の画像情報及びユニークキーの記録された非接触式ＩＣタグと、少なくとも口座番号に関連して第２の画像情報及び属人情報の記憶されたデータベースと、非接触式ＩＣタグから第１の画像情報を取り出すと共に、口座番号によりデータベースを検索して第２の画像情報を取り出し、これら第１及び第２の画像情報を並べて表示する表示装置とからなるものである。
【００１１】
また、請求項２に記載されたセキュリティシステムは、非接触式ＩＣタグは通帳が収納される収納手段に一体化され、通帳とは別体とするものである。
【００１２】
請求項３に記載されたセキュリティシステムは、第１及び第２の画像情報は、通帳の名義人の顔写真であることを特徴とするものである。
【００１３】
請求項４に記載されたセキュリティシステムは、表示装置とデータベースはパーソナルコンピュータと一体に設けられ、パーソナルコンピュータに、非接触式ＩＣタグに記録された第１の画像情報及びユニークキーを読み取る手段を付属させるものである。
【００１４】
請求項５に記載されたセキュリティシステムは、読み取られたユニークキーに基づいてデータベースから対応する口座番号を読み出すと共に、口座番号の入力手段を有し、データベースから読み出された口座番号と入力手段に入力された口座番号とが一致したときにデータベースから対応する第２の画像情報及び属人情報を取り出して表示装置に表示するものである。
【００１５】
請求項６に記載されたセキュリティシステムは、属人情報は、通帳の名義人を特定するのに供される文字情報であり、この文字情報を表示装置に表示するものである。
【００１６】
さらに請求項７に記載されたセキュリティシステムは、第１の画像情報及びユニークキーの記録された非接触式ＩＣタグと、口座番号の入力手段と、少なくとも口座番号に関連して第２の画像情報及び属人情報の記憶されたデータベースと、画像情報の表示装置と、勘定系への接続手段を有し、非接触式ＩＣタグから取り出される第１の画像情報と、口座番号によりデータベースを検索して取り出される第２の画像情報を表示装置に並べて表示すると共に、属人情報には勘定系の業務に関わる制限を示す情報が含まれており、勘定系から制限に関連する情報を得て、制限の範囲内であるか否かの判別結果を表示装置に表示するものである。
【００１７】
さらに請求項８に記載されたセキュリティシステムは、第１の画像情報及びユニークキーの記録された非接触式ＩＣタグと、口座番号の入力手段と、少なくとも口座番号に関連して第２の画像情報及び属人情報の記憶されたデータベースと、外部記憶媒体へ情報の読み書きを行うドライブ装置と、画像情報の表示装置を有し、入力手段に入力された口座番号に基づき、所定の安全管理の下でデータベースの対応する領域から第２の画像情報及び属人情報を取り出して取り出された第２の画像情報及び属人情報をドライブ装置により外部記憶媒体へ書き込み、所定の安全管理の下で外部記憶媒体へ書き込まれた情報をドライブ装置により読み出して読み出された情報をデータベースに書き込むと共に、非接触式ＩＣタグから取り出される第１の画像情報と、口座番号によりデータベースを検索して取り出される第２の画像情報を表示装置に並べて表示するものである。
【００１８】
さらに、本発明の目的を達成するため、請求項９に記載された本発明のセキュリティ装置は、通帳に記載された口座番号を入力する入力手段と、非接触式ＩＣタグに記録された第１の画像情報及びユニークキーを読み取る読み取り装置と、少なくとも口座番号に関連して第２の画像情報及び属人情報の記憶されたデータベースと、非接触式ＩＣタグから第１の画像情報を取り出すと共に、口座番号によりデータベースを検索して第２の画像情報を取り出し、これら第１及び第２の画像情報を並べて表示する表示装置とからなるものである。
【００１９】
また、請求項１０に記載されたセキュリティシステムは、第１及び第２の画像情報は、通帳の名義人の顔写真であることを特徴とするものである。
【００２０】
請求項１１に記載されたセキュリティシステムは、表示装置とデータベースはパーソナルコンピュータと一体に設けられ、パーソナルコンピュータに、非接触式ＩＣタグに記録され第１の画像情報及びユニークキーの読み取り手段を付属させるものである。
【００２１】
請求項１２に記載されたセキュリティシステムは、読み取られたユニークキーに基づいてデータベースから対応する口座番号を読み出すと共に、データベースから読み出された口座番号と入力手段に入力された口座番号とが一致したときにデータベースから対応する第２の画像情報及び属人情報を取り出して表示装置に表示するものである。
【００２２】
請求項１３に記載されたセキュリティシステムは、属人情報は、通帳の名義人を特定するのに供される文字情報であり、この文字情報を表示装置に表示するものである。
【００２３】
さらに請求項１４に記載されたセキュリティシステムは、第１の画像情報及びユニークキーの記録された非接触式ＩＣタグと、口座番号の入力手段と、少なくとも口座番号に関連して第２の画像情報及び属人情報の記憶されたデータベースと、画像情報の表示装置と、勘定系への接続手段を有し、非接触式ＩＣタグから取り出される第１の画像情報と、口座番号によりデータベースを検索して取り出される第２の画像情報を表示装置に並べて表示すると共に、属人情報には勘定系の業務に関わる制限を示す情報が含められており、勘定系から制限に関連する情報を得て、制限の範囲内であるか否かの判別結果を表示装置に表示するものである。
【００２４】
さらに請求項１５に記載されたセキュリティシステムは、第１の画像情報及びユニークキーの記録された非接触式ＩＣタグと、口座番号の入力手段と、少なくとも口座番号に関連して第２の画像情報及び属人情報の記憶されたデータベースと、外部記憶媒体へ情報の読み書きを行うドライブ装置と、画像情報の表示装置を有し、入力手段に入力された口座番号に基づき、所定の安全管理の下でデータベースの対応する領域から第２の画像情報及び属人情報を取り出して取り出された第２の画像情報及び属人情報をドライブ装置により外部記憶媒体へ書き込み、所定の安全管理の下で外部記憶媒体へ書き込まれた情報をドライブ装置により読み出して読み出された情報をデータベースに書き込むと共に、非接触式ＩＣタグから取り出される第１の画像情報と、口座番号によりデータベースを検索して取り出される第２の画像情報を表示装置に並べて表示するものである。
【００２５】
さらに、本発明の目的を達成するため、請求項１６に記載された本発明のセキュリティプログラムは、通帳に記載された口座番号を入力する手段と、非接触式ＩＣタグに記録された第１の画像情報及びユニークキーを読み取る手段と、少なくとも口座番号に関連して第２の画像情報及び属人情報の記憶されたデータベースを検索する手段と、これらの読み取り及び検索された第１及び第２の画像情報を並べて表示する手段とからなるものである。
【００２６】
また、請求項１７に記載されたセキュリティシステムは、第１及び第２の画像情報は、通帳の名義人の顔写真であることを特徴とするものである。
【００２７】
請求項１８に記載されたセキュリティシステムは、読み取られたユニークキーに基づいてデータベースから対応する口座番号を読み出す手段と、データベースから読み出された口座番号と入力された口座番号とが一致したときにデータベースから対応する第２の画像情報及び属人情報を取り出して表示する手段とを有するものである。
【００２８】
請求項１９に記載されたセキュリティシステムは、属人情報は、通帳の名義人を特定するのに供される文字情報であり、これらの文字情報を表示する手段を有するものである。
【００２９】
さらに請求項２０に記載されたセキュリティシステムは、通帳に記載された口座番号を入力する手段と、非接触式ＩＣタグに記録された第１の画像情報及びユニークキーを読み取る手段と、少なくとも口座番号に関連して第２の画像情報及び属人情報の記憶されたデータベースを検索する手段と、勘定系への接続を行う手段と、非接触式ＩＣタグから取り出される第１の画像情報と、口座番号によりデータベースを検索して取り出される第２の画像情報を表示装置に並べて表示する手段を有すると共に、属人情報には勘定系の業務に関わる制限を示す情報が含まれており、勘定系から制限に関連する情報を得て、制限の範囲内であるか否かの判別結果を表示する手段を有するものである。
【００３０】
さらに請求項２１に記載されたセキュリティシステムは、通帳に記載された口座番号を入力する手段と、非接触式ＩＣタグに記録された第１の画像情報及びユニークキーを読み取る手段と、少なくとも口座番号に関連して第２の画像情報及び属人情報の記憶されたデータベースを検索する手段と、外部記憶媒体へ情報の読み書きを行う手段と、入力された口座番号に基づき、所定の安全管理の下でデータベースの対応する領域から第２の画像情報及び属人情報を取り出して取り出された情報を外部記憶媒体へ書き込む手段と、所定の安全管理の下で外部記憶媒体へ書き込まれた情報を読み出して読み出された情報をデータベースに書き込む手段と、非接触式ＩＣタグから取り出される第１の画像情報と、口座番号によりデータベースを検索して取り出される第２の画像情報を表示装置に並べて表示する手段とを有するものである。
【発明の効果】
【００３１】
本発明によれば、非接触式ＩＣタグから取り出される第１の画像情報と、口座番号によりデータベースを検索して取り出した第２の画像情報を並べて表示することによって、さらに窓口に現れた人物も確認することにより、窓口でのセキュリティを良好に高めることができ、また、非接触式ＩＣタグを通帳とは別体とすることによって、利用者が非接触式ＩＣタグと口座番号の管理を良好に行うことができるものである。
【発明を実施するための最良の形態】
【００３２】
以下、図面を参照しながら本発明の実施の形態について説明する。図１は本発明によるセキュリティシステムをパーソナルコンピュータを用いて具体化した一実施形態の構成を示すブロック図である。
【００３３】
図１において、パーソナルコンピュータ（ＰＣ）１００には、中央処理装置(ＣＰＵ)１と、リードオンリーメモリ(ＲＯＭ)２及びランダムアクセスメモリ(ＲＡＭ)３が設けられ、ＲＯＭ２に記憶されたプログラムに従ってＲＡＭ３に記憶されたデータの処理がＣＰＵ１で行われる。そして、その結果がディスプレイ４に表示されると共に、その処理に関する指示やデータの入力のためにキーボード５が設けられている。
【００３４】
さらにＰＣ１００には、データベースとなるハードディスクドライブ(ＨＤＤ)６と、外部装置を接続するためのインターフェース７が設けられる。そしてこのインターフェース７を通じて、画像情報を入力するためのデジタルカメラ１０や、顔写真２０を取り込むための画像スキャナ１１が接続されると共に、非接触式ＩＣタグ３０に記憶された情報を取り出すためのＩＣタグリーダー１２が接続される。
【００３５】
また、ＰＣ１００には、後述する複数のパーソナルコンピュータで同じ情報を持たせる場合に、ＨＤＤ６に記憶された情報を外部記憶媒体４０に書き込み／読み出しするための外部記憶ドライブ８が設けられる。
【００３６】
そこでこのようなＰＣ１００を用いて、本発明を用いるセキュリティを行う場合には、事前に次に述べる準備が行われる。すなわち新規の口座開設、若しくはセキュリティの追加登録の申し込みが行われた時点で、その口座の名義人に対して、顔写真のデジタルカメラ１０による撮影や顔写真２０の提示が要請され、撮影若しくは画像スキャナ１１で取り込まれた第１の画像情報が、ユニークキーと共に非接触式ＩＣタグ３０に書き込まれる。ここで、第１の画像情報は圧縮により４Ｋバイト程度のデータ量とされている。
【００３７】
なお、新規の口座開設に当っては、身分証明書等による本人確認や、申込人が記入した申込書の内容確認及び同意書へのサイン等、従来の新規の口座開設に当って行われる業務は、別途に行われているものとする。さらにセキュリティの追加登録の申し込みに当っても、申込人が記入した申込書の内容確認及び同意書へのサイン等の業務は、別途に行われているものとする。
【００３８】
そして、上述の第１の画像情報及びユニークキーの書き込まれた非接触式ＩＣタグ３０は、例えば通帳の収納手段（通帳カバー：図示せず）に所定の手段で封入一体化されて、口座の名義人に手渡される。すなわちこの場合に、通帳（図示せず）と非接触式ＩＣタグ３０は、別体のものとして口座の名義人に渡される。
【００３９】
さらに、上述のユニークキーによって検索されるＨＤＤ６のデータベースには、例えば図２に示すように１…口座番号、２…科目、３…店番号、４…ユニークキーなどの属人情報と共に、１５…写真情報（第２の画像情報）が設けられる。この第２の画像情報は、上述の第１の画像情報と同じものでもよく、別のものでもよい。またこのとき勘定系（図示せず）の口座管理の中に、セキュリティ登録が行われている旨のフラグが立てられる。
【００４０】
このような準備を経て、本発明のセキュリティシステムは、図３に示すシステムシーケンス図に従って行われる。すなわち、窓口において、上述の非接触式ＩＣタグ３０の封入された収納手段（通帳カバー）がＩＣタグリーダー１２にかざされることにより、図３の手順(Ａ１)として、非接触式ＩＣタグ３０に記憶された情報が読み出される。ここで非接触式ＩＣタグ３０には、上述のように第１の画像情報とユニークキーが書き込まれている。
【００４１】
次に、手順(Ａ２)として読み出されたユニークキーを用いてデータベースに対して問合わせが行われ、手順(Ａ３)としてデータベースから、例えば図４のＡの表示画面に示すように口座番号の問合わせが行われる。これに対して手順(Ａ４)として、例えばキーボード５を用いて口座番号が入力されると、手順(Ａ５)として、入力された口座番号を用いてデータベースへ問合わせが行われて、データベースに記憶された第２の画像情報と属人情報が読み出される。
【００４２】
そして手順(Ａ６)として、例えば図４のＢの表示画面に示すように、非接触式ＩＣタグ３０内の顔写真とＨＤＤ６のデータベースが保存する顔写真の２つの画像情報や、その他の属人情報がディスプレイ４に表示される。そこで窓口においては、ディスプレイ４に表示される第１及び第２の画像情報の顔写真と窓口に訪れている人の顔を見比べて、同一人でないと判断された場合には、例えば払い出しを断るなどの安全処置を講じることができる。なおこの際に、従来の印影の一致の判別などは並行して行うことができる。
【００４３】
さらに上述のシステムでは、非接触式ＩＣタグ３０に記憶される第１の画像情報とデータベース上に記憶される第２の画像情報とが独立に管理されているので、例えば非接触式ＩＣタグ３０の改竄や偽造、また正規の非接触式ＩＣタグ３０が封入された通帳カバーに別人の通帳を入れているような場合にも、データベース上に記憶された第２の画像情報との比較によって、これらの不正行為を容易に判断することができる。
【００４４】
また、上述のシステムにおいては、ＨＤＤ６のデータベースの中に、例えば図２に示すように、５…ユーザーキーが設けられている。このユーザーキーには、例えば口座の名義人の好きなスポーツや、合言葉、趣味、好きな作家というような個人を特定できる情報が記録される。なおユーザーキーには、例えば１２８文字の情報が記入可能とされている。これによって窓口では、上述の図４のＢに示した表示画面の中で、ユーザーキーの表示された部分を見ながら、例えば口頭の質問で人物の確認を良好に行うことができる。
【００４５】
さらに上述のシステムにおいて、ＨＤＤ６のデータベースの中には、例えば図２に示すように、１２…出金可能回数（１日）、１３…出金可能回数（１ヶ月）、１４…出金可能額（１日）の項目が設けられる。これによって窓口では、これらの項目を確認して、不自然な払い出しの請求などをチェックすることができる。ただし、このチェックを正確に行う場合には、例えば銀行においてはいわゆる勘定系との連携が必要になる。
【００４６】
そこで図５には、このような勘定系との連携を考慮した本発明の他の実施形態のシステムの構成を示す。この図５において、パーソナルコンピュータ（ＰＣ）１００の構成は、上述の図１の場合とほぼ同様である。ここで図５の実施形態においては、インターフェース７を通じて勘定系２００との接続が行われ、勘定系２００の情報が検索可能なように構成される。さらにこの実施形態では、磁気リーダー１３が設けられ、例えば通帳５０に設けられる磁気テープに記録された情報が読み取られるようにされている。また払い出し等の業務を行う勘定系のパーソナルコンピュータ３００は、パーソナルコンピュータ１００とは別に設けられる。
【００４７】
そしてこの図５に示す本発明によるセキュリティシステムは、図６に示すシステムシーケンス図に従って実施される。すなわち、窓口において、上述の非接触式ＩＣタグ３０の封入された収納手段（通帳カバー）がＩＣタグリーダー１２にかざされることにより、図６の手順(Ｂ１)として、非接触式ＩＣタグ３０に記憶された情報が読み出される。ここで非接触式ＩＣタグ３０には、上述のように第１の画像情報とユニークキーが書き込まれている。
【００４８】
次に、手順(Ｂ２)として読み出されたユニークキーを用いてデータベースに対して問合わせが行われ、ここでこの実施形態では、手順(Ｂ３)としてデータベースから第２の画像情報と属人情報が読み出される。さらに手順(Ｂ４)として、属人情報の中の１…口座番号が読み出される。また、手順(Ｂ５)として、読み出された口座番号を用いて勘定系へ問合わせが行われて、勘定系のデータベースに記憶された払い出しの履歴等の情報が読み出される。
【００４９】
さらに手順(Ｂ６)として、上述の図４のＡと同様に口座番号の問合わせが行われ、例えば磁気リーダー１３に通帳５０の磁気テープ部を通すことによって口座番号が入力される。なお、この口座番号の入力は、図３のシーケンス図のようにキーボード５を用いて行われるようにしてもよい。また、図３のシーケンス図においても、磁気リーダー１３を用いて口座番号を入力することも可能である。
【００５０】
そして手順(Ｂ７)として、入力された口座番号のチェックと、その口座番号における払い出しの出金回数や出金額のチェックが行われ、これらがＨＤＤ６のデータベースの中の１２…出金可能回数（１日）、１３…出金可能回数（１ヶ月）、１４…出金可能額（１日）などの項目に合致するか否か判断され、その判断結果が上述の図４のＢに示した表示画面の中に表示される。これによって窓口では、不自然な払い出しの請求などをチェックすることができる。
【００５１】
さらに上述のＨＤＤ６のデータベースには、６…氏名、７…性別、８…住所、９…連絡先１、１０…連絡先２、１１…生年月日などの個人を特定する情報が記録される。
【００５２】
また、このデータベースには、１６…顧客種別と１７…代理人コード１、１８…代理人コード２の項目が設けられ、これらの情報を用いて、予め指定された代理人による手続が可能となるようにされる。すなわち上述のデータベースにおいて、１６…顧客種別では本人か代理人かの識別が行われ、本人である場合には、さらに１７…代理人コード１、１８…代理人コード２を指定し、これらの項目に代理人１、２のユニークコードを格納することができる。
【００５３】
これによって、予め指定された代理人が窓口に来た場合には、１７…代理人コード１、１８…代理人コード２に格納されたユニークコードによって、それぞれの代理人の情報を表示して、指定された代理人であることの確認を行うことができる。なおこの場合に、非接触式ＩＣタグ３０に記憶される第１の画像情報には、本人と代理人も含めた集合写真を用いることによって、上述の画像情報による確認も行うことができる。
【００５４】
このようにして、上述の実施形態によれば、非接触式ＩＣタグから取り出される第１の画像情報と、口座番号によりデータベースを検索して取り出した第２の画像情報を並べて表示することによって、さらに窓口に現れた人物も確認することにより、窓口でのセキュリティを良好に高めることができ、また、非接触式ＩＣタグを通帳とは別体とすることによって、利用者が非接触式ＩＣタグと口座番号の管理を良好に行うことができる。
【００５５】
さらに、第１及び第２の画像情報を通帳の名義人の顔写真とすることによって、特に窓口での視認による確認を円滑、かつ良好に行うことができる。また、表示装置とデータベースを一体のパーソナルコンピュータとし、非接触式ＩＣタグの読み取る手段を付属させることによって、ネットワーク等を構築することなく、簡単な構成で良好なセキュリティを実現することができる。
【００５６】
また、読み取られたユニークキーに基づく口座番号と入力手段に入力された口座番号とが一致したときに第２の画像情報及び属人情報を取り出して表示装置に表示することによって、非接触式ＩＣタグと通帳との関係をより明確にし、より良好なセキュリティを行うことができる。さらに、属人情報には、通帳の名義人を特定するのに供される文字情報を設けることによって、この文字情報を用いて口頭による人物の確認を良好に行うことができる。
【００５７】
さらに上述の実施形態では、システムを構成するパーソナルコンピュータには勘定系への接続手段を設けることによって、属人情報に含まれる勘定系の業務に関わる制限を示す情報を用いて制限の範囲内であるか否かの判別結果を表示装置に表示することができる。したがってこのシステムは、基本はパーソナルコンピュータの単体で実施されるものであるが、さらに勘定系との連携によって、より安全なセキュリティを可能にすることができる。
【００５８】
ところで上述のシステムは、データベースをＨＤＤ６に設けることにより、基本的にはパーソナルコンピュータの単体で実施されるものであるが、顧客によっては、複数の支店での払い出し等を要望する場合がある。そこで上述のＨＤＤ６のデータベースから特定の顧客の情報を外部記憶媒体４０に取り出して、指定された支店の窓口のパーソナルコンピュータ１００にそのコピーを置くことができる。
【００５９】
すなわち、図７にはＨＤＤ６のデータベースから特定の顧客データを外部記憶媒体４０に取り出すためのシーケンスを示す。図７において、手順(Ｃ１)としてキーボード５から他店舗出力の要求と口座番号が入力されると、手順(Ｃ２)としてデータベースに対して口座番号による問合わせが行われる。
【００６０】
これに対し、手順(Ｃ３)としてデータベースから顧客データが取り出され、手順(Ｃ４)として認証対象であるか否かが判断されて、認証対象であるときは外部記憶ドライブ（例えばＦＤドライブ）８にて外部記憶媒体４０への書き込みが行われる。さらに手順(Ｃ５)として書き込み結果がディスプレイ４に表示される。
【００６１】
また、図８には外部記憶媒体４０で供給された顧客データをＨＤＤ６のデータベースへの書き込むためのシーケンスを示す。図８において、手順(Ｄ１)として外部記憶ドライブ８にて外部記憶媒体４０からデータの読み取りが行われ、手順(Ｄ２)として読み取られたデータから、勘定系２００に対して顧客データの照合と認証対象かの問合わせが行われる。
【００６２】
これに対し、手順(Ｄ３)として勘定系２００から認証の有無が回答され、認証対象であるときは手順(Ｄ４)として外部記憶ドライブ８にて外部記憶媒体４０から読み取られた顧客データのデータベースへの書き込みが行われる。さらに手順(Ｄ５)として書き込み結果がディスプレイ４に表示される。
【００６３】
このようにして、上述のＨＤＤ６のデータベースから特定の顧客の情報を外部記憶媒体４０に取り出して、指定された支店の窓口のパーソナルコンピュータ１００にそのコピーを置くことができ、例えば複数の支店での払い出し等を要望する顧客の要求に応えることができるものである。
【００６４】
なお、上述の実施形態において、ＨＤＤ６のデータベースの検索は、例えば口座番号とユニークキーをインデックスとして検索できるようにすることで、上述の図３、図６〜図８で述べた手順を実現することができる。
【００６５】
また、本発明は、上述のセキュリティシステムとして実施される他、パーソナルコンピュータ１００の単体としたセキュリティ装置としても実施される。また上述の図３、図６〜図８で述べた手順を、それぞれ手段として備えたセキュリティプログラムとしても実施可能なものである。
【００６６】
さらに本発明は、上述の説明した実施形態に限定されるものではなく、特許請求の範囲の記載を逸脱しない限りにおいて、種々の変形が可能とされるものである。
【図面の簡単な説明】
【００６７】
【図１】本発明によるセキュリティシステム、装置及びプログラムを適用したパーソナルコンピュータの一実施形態の構成を示すブロック図である。
【図２】そのデータベースのフォーマットの説明のための図である。
【図３】その処理動作の説明のためのシステムシーケンス図である。
【図４】その説明のための表示画面を示す線図である。
【図５】本発明によるセキュリティシステムの他の実施形態の構成を示すブロック図である。
【図６】その処理動作の説明のためのシステムシーケンス図である。
【図７】その処理動作の説明のためのシステムシーケンス図である。
【図８】その処理動作の説明のためのシステムシーケンス図である。
【符号の説明】
【００６８】
１…中央処理装置（ＣＰＵ）、２…リードオンリーメモリ（ＲＯＭ）、３…ランダムアクセスメモリ（ＲＡＭ）、４…ディスプレイ、５…キーボード、６…ハードディスクドライブ（ＨＤＤ）、７…インターフェース、８…外部記憶ドライブ、１０…デジタルカメラ、１１…画像スキャナ、１２…ＩＣタグリーダー、２０…顔写真、３０…非接触式ＩＣタグ、４０…外部記憶媒体、１００…パーソナルコンピュータ（ＰＣ）
【図１】
2005267223.tif 000003
【図２】
2005267223.tif 000004
【図３】
2005267223.tif 000005
【図４】
2005267223.tif 000006
【図５】
2005267223.tif 000007
【図６】
2005267223.tif 000008
【図７】
2005267223.tif 000009
【図８】
2005267223.tif 000010